(57)【特許請求の範囲】
【請求項１】
光源から出射した光ビームによって走査対象物を光走査する光走査装置において、
前記光源から出射される光ビームを狙いの形状に成形する光学素子と、該光ビームを偏向走査する偏向走査手段とを収納する光学ハウジングを有し、
該光学ハウジングは、前記光源が光軸方向に突き当たることで、前記光源が光軸方向に位置決めされる位置決め部を有し、
前記位置決め部によって位置決めされた光源を前記位置決め部に向かって押圧する押圧部材を設け、
前記押圧部材と前記位置決め部とで前記光源を挟持することで前記光源を固定し、前記押圧部材による前記光源に対する挟持力を調整可能に構成し、前記光源に対する挟持力を弱めることで、押圧部材に対して前記光源を回転調整可能にし、
前記位置決め部は、光軸方向に対して垂直な位置決め面であり、該位置決め面を同一平面上に２または３個有することを特徴とする光走査装置。
【請求項２】
光源から出射した光ビームによって走査対象物を光走査する光走査装置において、
前記光源から出射される光ビームを狙いの形状に成形する光学素子と、該光ビームを偏向走査する偏向走査手段とを収納する光学ハウジングを有し、
該光学ハウジングは、前記光源が光軸方向に突き当たることで、前記光源が光軸方向に位置決めされる位置決め部を有し、
前記位置決め部によって位置決めされた光源を前記位置決め部に向かって押圧する押圧部材を設け、
前記押圧部材と前記位置決め部とで前記光源を挟持することで前記光源を固定し、前記押圧部材による前記光源に対する挟持力を調整可能に構成し、前記光源に対する挟持力を弱めることで、押圧部材に対して前記光源を回転調整可能にし、
複数の位置決め部と、
各位置決め部に位置決めされる複数の光源とを備え、
前記押圧部材は、複数の光源を押圧するよう構成したことを特徴とする光走査装置。
【請求項３】
請求項１または２の光走査装置において、
前記押圧部材は、ネジにて前記光学ハウジングに締結され、前記ネジを回転させることにより前記挟持力を調整することを特徴とする光走査装置。
【請求項４】
請求項１乃至３いずれかの光走査装置において、
前記押圧部材は、記光源の光ビーム出射側の面と反対側の面を押圧する光軸方向に対して垂直な押圧面と、前記押圧面と平行で、前記押圧面と光軸方向の位置が異なる前記光学ハウジングに取り付けられる取付面とを有し、押圧部材を固定したとき、少なくとも押圧面の周囲が弾性変形するよう構成したことを特徴とする光走査装置。
【請求項５】
請求項４の光走査装置において、
前記押圧面を、同一平面上に２または３個設け、各押圧面と光源との接触面積を同一にしたことを特徴とする光走査装置。
【請求項６】
請求項５の光走査装置において、
前記押圧面が同一平面上に複数あり、前記位置決め面が同一平面上に前記押圧面の個数と同数あるように構成し、
前記押圧面が、前記光源を挟んで前記位置決め面と対向するよう構成したことを特徴とする光走査装置。
【請求項７】
請求項１乃至６いずれかの光走査装置において、
前記押圧部材は、前記光学ハウジングに取付けられる取付面を有し、
前記取付面の端部を前記光学ハウジングから離間する方向に曲がる曲面としたことを特徴とする光走査装置。
【請求項８】
請求項３の光走査装置において、
前記光学ハウジングに固定される前の押圧部材を回転方向に位置決めする押圧部材位置決め手段を設けたことを特徴とする光走査装置。
【請求項９】
請求項３の光走査装置において、
前記ネジと前記押圧部材との間に別部材を設け、前記押圧部材締結時に前記ネジと前記別部材との間および前記押圧部材と前記別部材との間の少なくとも一方に回転方向の滑りを発生させたことを特徴とする光走査装置。
【請求項１０】
潜像を担持する潜像担持体と、光走査によって該潜像担持体の表面に潜像を形成する光走査手段と、該潜像担持体に担持された潜像を現像する現像手段とを備える画像形成装置において、
上記光走査手段として、請求項１乃至９いずれかの光走査装置を用いたことを特徴とする画像形成装置。
【発明の詳細な説明】
【技術分野】
【０００１】
本発明は、光走査装置および画像形成装置に関するものである。
【背景技術】
【０００２】
潜像担持体である感光体上に画像情報に応じた書込光を偏向走査することにより照射して感光体上に潜像を形成し、この潜像を現像して画像を得るものが知られている。書込光を偏向走査する光走査装置は、一般に、レーザーダイオード（ＬＤ）などの光源から照射された光は、コリメートレンズやアパーチャーによって所定の形状に成形されてポリゴンミラーに入射する。ポリゴンミラーに入射した光は、ポリゴンミラーで偏向走査され、感光体表面に結像される。
このような光走査装置においては、特許文献１に記載のように、光源は、ホルダなどに設けられた光源取付け部に圧入固定されている。
【発明の概要】
【発明が解決しようとする課題】
【０００３】
しかしながら、光源取付け部に光源を圧入固定している場合、光源に初期不良などが生じて光源取付け部から光源を取り外すときは、光源取付け部から光源を無理やりに引き抜くため、光源取付け部に対して光源を真直ぐに引き抜かないと光源取付け部が破損してしまうという不具合があり、光源交換作業が困難であった。
【０００４】
また、光源としてのレーザーダイオード（ＬＤ）は、発散角が縦方向と横方向で異なり楕円形状の光を出射する。よって、アパーチャーを通過した光を、狙いの形状に成形するためには、楕円形状の光における長径部分をアパーチャーのスリット方向に合わせる必要がある。しかし、光源取付け部に光源を圧入固定している場合、圧入固定後は、光源を回転させることができない。よって、楕円形状の光における長径部分とアパーチャーのスリット方向とがずれている場合、光源の回転によっては、楕円形状の光における長径部分とアパーチャーのスリット方向とを合わせることができず、アパーチャーを通過した光を、狙いの形状に成形することができなくなるおそれがあった。
【０００５】
さらに、光源として複数の発光点を備え、これら発光点がアレイ状に配列されたレーザダイオードアレイ（ＬＤＡ）を用いて、マルチビーム走査方式にした光走査装置の場合、ビームピッチが狙いのピッチとなるように、光源を回転方向に位置決めして光源取付け部に取り付ける必要がある。しかし、光源取付け部に光源を圧入固定する場合、圧入固定後は、光源を回転させることができない。このため、光源圧入時に光源が回転方向に回転してまい、光源が回転方向にずれて圧入固定された場合、取り付け後は、光源を回転させてビームピッチが狙いのピッチとなるように調整できないという不具合も生じてしまう。
【０００６】
特許文献１のように、ホルダに光源を取り付けて、ホルダを光学ハウジングに対して回転可能に取り付ければ、ホルダを光学ハウジングに対して回転させることで、ビームピッチが狙いのピッチとなるようにする調整や、アパーチャーを通過した光を、狙いの形状に成形する調整が可能となるが、ホルダなどの部品点数が増えてしまい、コスト高になってしまう。
【０００７】
本発明は以上の問題点に鑑みなされたものであり、その目的は、光源を取り付けるホルダを削除して部品点数の削減を図りながら、光源を容易に交換することができるとともに、光源取付け後に、光源を回転方向に調整可能としたことを特徴とする光走査装置および画像形成装置を提供することである。
【課題を解決するための手段】
【０００８】
上記目的を達成するために、請求項１の発明は、光源から出射した光ビームによって走査対象物を光走査する光走査装置において、前記光源から出射される光ビームを狙いの形状に成形する光学素子と、該光ビームを偏向走査する偏向走査手段とを収納する光学ハウジングを有し、該光学ハウジングは、前記光源が光軸方向に突き当たることで、前記光源が光軸方向に位置決めされる位置決め部を有し、前記位置決め部によって位置決めされた光源を前記位置決め部に向かって押圧する押圧部材を設け、前記押圧部材と前記位置決め部とで前記光源を挟持することで前記光源を固定し、前記押圧部材による前記光源に対する挟持力を調整可能に構成し、前記光源に対する挟持力を弱めることで、押圧部材に対して前記光源を回転調整可能にし、前記位置決め部は、光軸方向に対して垂直な位置決め面であり、該位置決め面を同一平面上に２または３個有することを特徴とするものである。
また、請求項２の発明は、光源から出射した光ビームによって走査対象物を光走査する光走査装置において、前記光源から出射される光ビームを狙いの形状に成形する光学素子と、該光ビームを偏向走査する偏向走査手段とを収納する光学ハウジングを有し、該光学ハウジングは、前記光源が光軸方向に突き当たることで、前記光源が光軸方向に位置決めされる位置決め部を有し、前記位置決め部によって位置決めされた光源を前記位置決め部に向かって押圧する押圧部材を設け、前記押圧部材と前記位置決め部とで前記光源を挟持することで前記光源を固定し、前記押圧部材による前記光源に対する挟持力を調整可能に構成し、前記光源に対する挟持力を弱めることで、押圧部材に対して前記光源を回転調整可能にし、複数の位置決め部と、各位置決め部に位置決めされる複数の光源とを備え、前記押圧部材は、複数の光源を押圧するよう構成したことを特徴とするものである。
また、請求項３の発明は、請求項１または２の光走査装置において、前記押圧部材は、ネジにて前記光学ハウジングに締結され、前記ネジを回転させることにより前記挟持力を調整することを特徴とするものである。
また、請求項４の発明は、請求項１乃至３いずれかの光走査装置において、前記押圧部材は、記光源の光ビーム出射側の面と反対側の面を押圧する光軸方向に対して垂直な押圧面と、前記押圧面と平行で、前記押圧面と光軸方向の位置が異なる前記光学ハウジングに取り付けられる取付面とを有し、押圧部材を固定したとき、少なくとも押圧面の周囲が弾性変形するよう構成したことを特徴とするものである。
また、請求項５の発明は、請求項４の光走査装置において、前記押圧面を、同一平面上に２または３個設け、各押圧面と光源との接触面積を同一にしたことを特徴とするものである。
また、請求項６の発明は、請求項５の光走査装置において、前記押圧面が同一平面上に複数あり、前記位置決め面が同一平面上に前記押圧面の個数と同数あるように構成し、前記押圧面が、前記光源を挟んで前記位置決め面と対向するよう構成したことを特徴とするものである。
また、請求項７の発明は、請求項１乃至６いずれかの光走査装置において、前記押圧部材は、前記光学ハウジングに取付けられる取付面を有し、前記取付面の端部を前記光学ハウジングから離間する方向に曲がる曲面としたことを特徴とするものである。
また、請求項８の発明は、請求項３の光走査装置において、前記光学ハウジングに固定される前の押圧部材を回転方向に位置決めする押圧部材位置決め手段を設けたことを特徴とするものである。
また、請求項９の発明は、請求項３の光走査装置において、前記ネジと前記押圧部材との間に別部材を設け、前記押圧部材締結時に前記ネジと前記別部材との間および前記押圧部材と前記別部材との間の少なくとも一方に回転方向の滑りを発生させたことを特徴とするものである。
また、請求項１０の発明は、潜像を担持する潜像担持体と、光走査によって該潜像担持体の表面に潜像を形成する光走査手段と、該潜像担持体に担持された潜像を現像する現像手段とを備える画像形成装置において、上記光走査手段として、請求項１乃至９いずれかの光走査装置を用いたことを特徴とするものである。
【発明の効果】
【０００９】
本発明においては、光源を押圧部材と位置決め部とで挟持固定するので、押圧部材を装置から取り外すだけで、光源の挟持力が失われて光源を容易に装置から取り外すことができる。よって、光源を圧入固定するものに比べて、光源を容易に交換することができる。
また、光源は、位置決め部と押圧部材とで挟持されているだけであるので、押圧部材の押圧力を弱めれば、光源への挟持力が弱まり、光源を回転させることができる。よって、光源取付け後に、光源を回転させて、ビームピッチの調整や光源から出射される光の形状を調整することができる。
また、光学ハウジングに直接取り付けた光源を回転させることができるので、ホルダに光源を取り付けて、ホルダを光学ハウジングに対して回転可能に取り付けた構成に比べて、部品点数を削減することができる。
【図面の簡単な説明】
【００１０】
【図１】実施形態に係るプリンタを示す概略構成図。
【図２】同プリンタの作像ステーションの概略構成を示す構成図。
【図３】光書込ユニットの構成を示す概略断面図である。
【図４】第１筐体を上から見た図。
【図５】第１筐体の斜視図。
【図６】第１筐体を第２筐体に取り付ける様子を説明する図。
【図７】第１筐体の光源取付面周辺の概略構成図。
【図８】押圧部材の斜視図。
【図９】ＬＤＡをネジで第１筐体に取り付ける前の様子を示す図。
【図１０】ＬＤＡをネジで第１筐体に固定した様子を示す図。
【図１１】押圧部材の押圧面がＬＤＡを押圧する様子を説明する図。
【図１２】第１筐体に固定されたＬＤＡに制御基板を取り付けた様子を説明する図。
【図１３】位置決め基準面を円周方向に等間隔で３箇所設けた実施形態を示す図。
【図１４】位置決め基準面と押圧面とをＬＤＡの台座部を挟んで対向させた様子を示す図。
【図１５】押圧面と台座部との間や貫通孔の内周と給電部との間に絶縁性部材を設けた実施形態を示す図。
【図１６】押圧部材の長手方向端部が光源取付面に引っ掛かる様子を説明する図。
【図１７】光源取付面の取付面の長手方向外側端部と対向する箇所に逃げ部を形成した実施形態を示す図。
【図１８】押圧部材の取付面の長手方向端部を曲面形状にした実施形態を示す図。
【図１９】ネジ締結時に押圧部材に回転方向の力が働き、ＬＤＡを回転させる様子を説明する図。
【図２０】押圧部材位置決め手段の第１の態様を示す図。
【図２１】押圧部材位置決め手段の第２の態様を示す図。
【図２２】ネジの頭部と押圧部材との間に別部材を設けた実施形態を示す図。
【図２３】２つの光源をひとつの押圧部材で押圧する実施形態を示す図。
【図２４】押圧部材をバネ部材で固定する実施形態を示す図。
【図２５】モノクロ画像形成装置の概略構成図。
【発明を実施するための形態】
【００１１】
以下、本発明を、画像形成装置としてのプリンタに適用した一実施形態について説明する。本実施形態は、いわゆる中間転写方式のタンデム型画像形成装置を例に挙げて説明するが、これに限られるものではない。
図１は、本実施形態に係るプリンタを示す概略構成図である。
このプリンタは、装置本体１と、この装置本体１から引き出し可能な給紙カセット２とを備えている。装置本体１の中央部には、イエロー（Ｙ）、シアン（Ｃ）、マゼンダ（Ｍ）、黒（Ｋ）の各色のトナー像（可視像）を形成するための作像ステーション３Ｙ，３Ｃ，３Ｍ，３Ｋを備えている。以下、各符号の添字Ｙ、Ｃ、Ｍ、Ｋは、それぞれイエロー、シアン、マゼンダ、黒用の部材であることを示す。
【００１２】
図２は、イエロー（Ｙ）の作像ステーションの概略構成を示す構成図である。なお、他の作像ステーションも同様の構成である。
図１及び図２に示すように、作像ステーション３Ｙ，３Ｃ，３Ｍ，３Ｋは、図中矢印Ａ方向に回転する潜像担持体としてのドラム状の感光体１０Ｙ，１０Ｃ，１０Ｍ，１０Ｋを備えている。感光体１０Ｙ，１０Ｃ，１０Ｍ，１０Ｋは、直径４０ｍｍのアルミニウム製の円筒状基体と、その表面を覆う、例えばＯＰＣ（有機光半導体）感光層とから構成されている。各作像ステーション３Ｙ，３Ｃ，３Ｍ，３Ｋは、それぞれ、感光体１０Ｙ，１０Ｃ，１０Ｍ，１０Ｋの周囲に、感光体を帯電する帯電装置１１Ｙ，１１Ｃ，１１Ｍ，１１Ｋ、感光体に形成された潜像を現像する現像手段としての現像装置１２Ｙ，１２Ｃ，１２Ｍ，１２Ｋ、感光体上の残留トナーをクリーニングするクリーニング装置１３Ｙ，１３Ｃ，１３Ｍ，１３Ｋを備える。各作像ステーション３Ｙ，３Ｃ，３Ｍ，３Ｋの下方には、感光体１０Ｙ，１０Ｃ，１０Ｍ，１０Ｋに書込光Ｌを照射可能な光走査装置である光書込手段としての光書込ユニット４を備えている。各作像ステーション３Ｙ，３Ｃ，３Ｍ，３Ｋの上方には、各作像ステーション３Ｙ，３Ｃ，３Ｍ，３Ｋにより形成されたトナー画像が転写される中間転写ベルト２０を備えた中間転写ユニット５を備えている。また、中間転写ベルト２０に転写されたトナー画像を記録材である転写紙Ｐに定着する定着ユニット６を備えている。また、装置本体１の上部には、イエロー（Ｙ）、シアン（Ｃ）、マゼンタ（Ｍ）、黒（Ｋ）の各色のトナーを収容するトナーボトル７Ｙ，７Ｃ，７Ｍ，７Ｋが装填されている。このトナーボトル７Ｙ，７Ｃ，７Ｍ，７Ｋは、装置本体１の上部に形成される排紙トレイ８を開くことにより、装置本体１から脱着可能に構成されている。
【００１３】
上記光書込ユニット４は、光源であるレーザダイオードから発射させる書込光（レーザ光）Ｌをポリゴンミラー等によって偏向し、感光体１０Ｙ，１０Ｃ，１０Ｍ，１０Ｋ上に走査しながら照射する。光書込ユニット４の詳しい説明は後述する。
上記中間転写ユニット５の中間転写ベルト２０は、駆動ローラ２１、テンションローラ２２及び従動ローラ２３に掛け回され、所定タイミングで図中反時計回り方向に回転駆動される。また、中間転写ユニット５は、感光体１０Ｙ，１０Ｃ，１０Ｍ，１０Ｋに形成されたトナー像を中間転写ベルト２０に転写する一次転写ローラ２４Ｙ，２４Ｃ，２４Ｍ，２４Ｋを備えている。中間転写ユニット５は、中間転写ベルト２０上に転写されたトナー像を転写紙Ｐに転写する二次転写ローラ２５、転写紙Ｐ上に転写されなかった中間転写ベルト２０上の転写残トナーをクリーニングするベルトクリーニング装置２６を備えている。
【００１４】
次に、上記構成のプリンタにおいて、カラー画像を得る工程について説明する。
まず、作像ステーション３Ｙ，３Ｃ，３Ｍ，３Ｋにおいて、感光体１０Ｙ，１０Ｃ，１０Ｍ，１０Ｋが帯電装置１１Ｙ，１１Ｃ，１１Ｍ，１１Ｋによって一様に帯電される。その後、光書込ユニット４により、画像情報に基づきレーザ光Ｌが走査露光されて感光体１０Ｙ，１０Ｃ，１０Ｍ，１０Ｋの表面に潜像が形成される。感光体１０Ｙ，１０Ｃ，１０Ｍ，１０Ｋ上の潜像は、現像装置１２Ｙ，１２Ｃ，１２Ｍ，１２Ｋの現像ローラ１５Ｙ，１５Ｃ，１５Ｍ，１５Ｋ上に担持された各色のトナーによって現像されてトナー像として可視像化される。感光体１０Ｙ，１０Ｃ，１０Ｍ，１０Ｋ上のトナー像は、各一次転写ローラ２４Ｙ，２４Ｃ，２４Ｍ，２４Ｋの作用によって反時計回りに回転駆動する中間転写ベルト２０上に順次重ねて転写される。このときの各色の作像動作は、そのトナー像が中間転写ベルト２０上の同じ位置に重ねて転写されるように、中間転写ベルト２０の移動方向上流側から下流側に向けてタイミングをずらして実行される。一次転写終了後の感光体１０Ｙ，１０Ｃ，１０Ｍ，１０Ｋは、クリーニング装置１３Ｙ，１３Ｃ，１３Ｍ，１３Ｋのクリーニングブレード１３ａによってその表面がクリーニングされ、次の画像形成に備えられる。トナーボトル７Ｙ，７Ｃ，７Ｍ，７Ｋに充填されているトナーは、必要性に応じて図示しない搬送経路によって各作像ステーション３Ｙ，３Ｃ，３Ｍ，３Ｋの現像装置１２Ｙ，１２Ｃ，１２Ｍ，１２Ｋに所定量補給される。
【００１５】
一方、上記給紙カセット２内の転写紙Ｐは、給紙カセット２の近傍に配設された給紙ローラ２７によって、装置本体１内に搬送され、レジストローラ対２８によって所定のタイミングで二次転写部に搬送される。そして、二次転写部において、中間転写ベルト２０上に形成されたトナー画像が転写紙Ｐに転写される。トナー画像が転写された転写紙Ｐは、定着ユニット６を通過することで画像定着が行われ、排出ローラ２９によって排紙トレイ８に排出される。感光体１０と同様に、中間転写ベルト２０上に残った転写残のトナーは、中間転写ベルト２０に接触するベルトクリーニング装置２６によってクリーニングされる。
【００１６】
次に、上記光書込ユニット４の構成について説明する。
図３は、上記光書込ユニット４の構成を示す概略断面図である。
図４は、第１筐体７０を上から見たときの要部概略構成図であり、図５は、第１筐体７０の斜視図である。
本実施形態の光書込ユニット４は、光源たるレーザダイオードアレイ（以下、ＬＤＡ）からfθレンズ４３ａ、４３ｂまでの間の光路上に設けられた光学系部品を収納する第１筐体７０と、fθレンズ４３ａ、４３ｂから感光体までの間の光路上に設けられた光学系部品を収納する第２筐体６０とで構成されたものである。
本実施形態の光書込ユニットは、ＬＤＡを用いて、感光体表面に同時に複数本の光を走査するマルチビーム走査方式である。このように、マルチビーム走査方式を採用することで、画像形成速度を速めることができる。
【００１７】
図４、図５に示すように、光学ハウジングたる第１筐体７０には、光源であるＬＤＡ５１ａ、５１ｂ、５１ｃ、５１ｄから出射される光ビームを狙いの形状に成形する光学素子であるコリメートレンズ５２ａ、５２ｂ、シリンドリカルレンズ５３ａ、５３ｂ、偏向走査手段たるポリゴンスキャナ１４０、レーザ走査の等角度運動を等速直線運動へと変える走査レンズたるｆθレンズ４３a、４３ｂなどが収納されている。
【００１８】
図５に示すように、ＬＤＡ５１ａ、５１ｂ、５１ｃ、５１ｄは、詳細は後述するが、第１筐体７０の端部に設けられた光源取付面７５ａ、７５ｂの光源取付穴７６ａ、７６ｂ、７６ｃ（不図示）、７６ｄにそれぞれ取り付けられる。
なお、図５においては、ＬＤＡ５１ｃのみを第１筐体７０に取り付けた状態を示したものである。
【００１９】
ポリゴンスキャナ１４０は、正多角柱形状からなる２つのポリゴンミラー（回転偏向器）４１ａ、４１ｂと、ポリゴンモータ（駆動手段）１４４と、ポリゴンモータ１４４の駆動を制御するための電子部品を搭載した回路基板１４１とで構成されている。ポリゴンスキャナ１４０は、ポリゴンスキャナ収容壁７４に囲まれたポリゴンスキャナ収容部７３にネジによって第１筐体７０に締結される。
【００２０】
ｆθレンズ４３ａ、４３ｂは、第１筐体７０の走査レンズ収容部に取り付けられる。また、コリメートレンズ５２ａ、５２ｂ、シリンドリカルレンズ５３ａ、５３ｂは、第１筐体７０のＬＤＡ５１ａ、５１ｂ、５１ｃ、５１ｄからポリゴンミラー４１ａ、４１ｂまでの光路上にそれぞれ取り付けられる。また、第１筐体７０のポリゴンスキャナ収容壁７４には、防音ガラス４９ａ，４９ｂが設けられている。
【００２１】
第１筐体７０は、図６に示すように、第２筐体６０に取り付けられる。第２筐体６０は、図３に示すように、第１筐体７０のほかに、感光体１０Ｙ，１０Ｃ，１０Ｍ，１０Ｋへとレーザ光を導くミラー４４ａ，４４ｂ，４４ｃ，４４ｄ，４６ａ，４６ｂ，４６ｃ，４６ｄ，４７ａ，４７ｂ，４７ｃ，４７ｄ、ポリゴンミラー４１ａ、４１ｂの面倒れを補正する長尺レンズ５０ａ，５０ｂ，５０ｃ，５０ｄ、図示しない同期検知手段などが取り付けられている。なお、図３中符号Ｌａ，Ｌｂ，Ｌｃ，Ｌｄは、それぞれ各感光体１０Ｙ，１０Ｃ，１０Ｍ，１０Ｋに照射される書込光の光路を示すものである。
【００２２】
ＬＤＡ５１ａ〜ｄ、から出射された光は、コリメートレンズ５２ａ（５２ｂ）を透過した後、第１筐体７０に設けられた図示しないアパーチャーで一定の形状に成形された後、シリンドリカルレンズ５３ａ（５３ｂ）を透過することで、副走査方向（感光体表面上における感光体表面移動方向に相当する方向）に集光せしめられる。次いで、ポリゴンモータ１４４によって高速回転される正六面体構造のポリゴンミラー４１ａ（４１ｂ）における６つの側面にそれぞれ形成された鏡面のうち、何れかで反射しながら主走査方向（感光体表面上における軸線方向に相当する方向）に偏向せしめられる。そして、ポリゴンミラー４１ａ（４１ｂ）によって一定の角速度で主走査方向に偏向せしめられる光の偏向方向の移動速度を等速に変換するｆθレンズ４３ａ（４３ｂ）、ミラー、面倒れを補正するための長尺レンズ、光走査装置を密閉する防塵ガラスを順次経由した後、図示しない感光体の表面に達する。
【００２３】
次に、ＬＤＡの第１筐体７０への取り付けについて説明する。なお、以下の説明では、ＬＤＡ５１ｃの取り付けについて説明するが、ＬＤＡ５１ａ、５１ｂ、５１ｄの取り付けに関しても同様である。
図７は、第１筐体７０の光源取付面周辺の概略構成図である。図８は、押圧部材１１０の斜視図である。図９は、ＬＤＡ５１ｃをネジで第１筐体に取り付ける前の様子を示す図である。
図７に示すように、ＬＤＡ５１ｃは、発光部５１２、台座部５１３、給電部５１１などを有している。台座部５１３の外径は、発光部５１２の外径よりも大きくなっており、台座部５１３の発光部側の面が、光軸方向の位置決めを行うための基準面５１３ａとなっている。給電部５１１は、台座部５１３の発光部側の面と反対側の面から延びており、後述する制御基板などに接続されて、発光部５１２内にアレイ状に配列された不図示の発光素子に電力を供給する。
【００２４】
第１筐体７０の光源取付面７５ｂには、光源取付穴７６ｃと、ネジ穴７５２とが設けられている。光源取付穴７６ｃは、ＬＤＡ５１ｃの発光部５１２の径よりも僅かに大きい発光部挿入部７５２と、ＬＤＡ５１ｃの台座部５１３の径よりも僅かに大きい台座部挿入部７５５とが設けられている。この台座部挿入部７５５と発光部挿入部７５２とを結び光軸方向に対して垂直な面が、ＬＤＡ５１ｃを光軸方向に位置決めする位置決め部たる位置決め面７５４となっている。台座部挿入部７５５の光軸方向の長さは、台座部５１３の光軸方向長さよりも短くなっており、ＬＤＡ５１ｃが位置決め面７５４により位置決めされたとき、台座部５１３の一部が光源取付面７５ｂから突出するようになっている。
【００２５】
ＬＤＡ５１ｃを押圧する押圧部材１１０は、長方形状の板状部材であり、板金を曲げ加工して成形されたり、樹脂を射出成形して成形されたりしたものである。押圧部材１１０の略中央部にはＬＤＡ５１ｃの給電部５１１が貫通するための貫通孔１１４が設けられている。この貫通孔１１４を囲むように、ＬＤＡの台座部の基準面５１３ａと反対側の面に当接して、ＬＤＡ５１ｃを位置決め面７５４側に押圧する押圧面１１２が、同一平面内で円周方向等間隔に３箇所設けられている（図８参照）。各押圧面１１２は、ＬＤＡ５１ｃを光軸方向に良好に押圧できるよう、光軸方向に対して垂直な面となっており、各押圧面の形状は、同一形状となっている。
これら押圧面１１２のよりも長手方向外側には、ネジが貫通するネジ貫通孔１１３を備えた取付面１１１が設けられている。
【００２６】
押圧面１１２は、取付面１１１よりも第１筐体７０から光軸方向に離れた位置に設けられており、押圧面１１２と取付面１１１との光軸方向の位置を異ならせている。また、取付面１１１は、押圧面１１２と平行な面である。
【００２７】
図９は、ＬＤＡ５１ｃを第１筐体７０にネジで締結する前の様子を示す図である。
図に示すように、ＬＤＡ５１ｃの発光部５１２を発光部挿入部７５３に挿入し、台座部５１３を台座部挿入部７５５に挿入して、位置決め基準面５１３ａを位置決め面７５４に当接させる。これにより、ＬＤＡ５１ｃが、光軸方向に位置決めされる。また、発光部挿入部７５２の径は、ＬＤＡ５１ｃの発光部５１２の径よりも僅かに大きく、台座部挿入部７５５の径はＬＤＡ５１ｃの台座部５１３の径よりも僅かに大きいため、光源取付穴７６ｃに挿入されたＬＤＡ５１ｃは、回転可能となっている。
【００２８】
次に、ＬＤＡ５１ｃの給電部５１１を押圧部材１１０の貫通孔１１４に貫通させて、押圧面１１２を台座部５１３の位置決め基準面と反対側の面に当接させる。このとき、押圧面１１２は、取付面１１１よりも光源取付面７５ｂから光軸方向に離れた位置に設けて、押圧面１１２を窪ませているので、この窪みに台座部５１３を遊嵌させることで、押圧面１１２を確実に台座部５１３の位置決め基準面と反対側の面に当接させることができる。
【００２９】
ＬＤＡ５１ｃが位置決め部７５４により位置決めされたとき、台座部５１３の一部が光源取付面７５ｂから突出するようになっているため、図９に示すように、押圧部材１１０の押圧面１１２を台座部５１３の位置決め基準面と反対側の面に当接させたとき、押圧部材１１０の取付面１１１と光源取付面７５ｂとの間には隙間ができる。
そして、押圧部材１１０の取付面１１１と第１筐体７０の光源取付面７５ｂとの間に隙間ができた状態から、押圧部材１１０のネジ貫通孔１１３にネジ１２０を挿入し、押圧部材１１０の取付面１１１が光源取付面７５ｂに密着するまで光源取付面７５ｂのネジ穴７５２にネジ１２０をねじ込んで押圧部材１１０を第１筐体７０に締結すると、図１０に示すように、押圧面１１２の周囲が弾性変形する。その結果、押圧面１１２に復元力が働き、押圧面１１２がＬＤＡ５１ｃを位置決め面７５４側に押圧する。これにより、ＬＤＡ５１ｃの台座部５１３が押圧面１１２と位置決め部７５４とに挟持され、ＬＤＡ５１ｃが第１筐体７０に取り付けられる。
【００３０】
本実施形態においては、押圧部材１１０の取付面１１１を押圧面１１２と平行にしているので、押圧部材１１０を固定するときに、固定する部材（ネジ）から押圧部材１１０にＬＤＡ５１ｃを押圧する向きの力が加わる。その結果、押圧部材１１０を固定するだけで、ＬＤＡ５１ｃに押圧力を付与することができ、ＬＤＡ５１ｃに押圧力を付与するために複雑な構造を有さなくてもよい。よって、安価な構成でＬＤＡ５１ｃに押圧力を付与することができる。
【００３１】
さらに、本実施形態によれば、押圧面１１２と取付面１１１との光軸方向の位置を異ならせているので、ＬＤＡ５１ｃを光軸方向に良好に押圧することができ、かつ、ＬＤＡ５１ｃの光軸方向への押圧力を高めることができる。
以下に、具体的に説明する。
押圧面１１２と取付面１１１とが同一平面内にある場合、押圧部材１１０を固定して、押圧面周辺が弾性変形したとき、押圧面１１２の一部が台座部５１２から浮き上がってしまう。その結果、ＬＤＡ５１ｃを押圧する向きが、光軸方向に対して斜めとなり、ＬＤＡ５１ｃを光軸方向へ押圧する力が弱まってしまう。
一方、押圧面１１２と取付面１１１とを光軸方向に異ならせた場合、押圧部材１１０を固定して、押圧面周辺が弾性変形したとき、押圧面１１２と取付面１１１との接続部が弾性変形して、押圧面１１２が台座部の位置決め基準面から浮き上がるのを抑制することができる。その結果、ＬＤＡ５１ｃを光軸方向に押圧することができる。また、接続部も弾性変形するので、この接続部の復元力も押圧面に加わることになる。その結果、ＬＤＡ５１ｃの光軸方向への押圧力を増加させることができる。
【００３２】
また、本実施形態によれば、押圧面を、同一平面上に３個設け、円周方向３箇所でＬＤＡ５１ｃを押圧するようにしている。押圧面を全周にわたり設け、輪状なものとした場合、押圧面の平面度などによって、ＬＤＡ５１ｃへの押圧力が片寄る場合があり、ＬＤＡ５１ｃ良好に挟持できないおそれがある。しかし、押圧面を円周方向等間隔で３箇所設けることにより、図１１に示すように、ＬＤＡ５１ｃを３点で押圧することができ、ＬＤＡ５１ｃを円周方向均等に押圧することができる。また、３箇所の押圧面の平面度の精度を上げればよいだけであるので、押圧面を輪状なもののように全周の平面度を上げるものに比べて、容易に平面度の精度を上げることができる。なお、上述では、押圧面を３個設けているが、２個でも、同様な効果を得ることができる。
【００３３】
また、各押圧面の形状を同一形状にしているので、各押圧面とＬＤＡ５１ｃとの接触面積を同一にすることができ、ＬＤＡ５１ｃを均等に押圧することができる。
【００３４】
また、本実施形態においては、ＬＤＡ５１ｃを用いて、感光体表面に同時に複数本の光を走査するマルチビーム走査方式としているが、ＬＤＡ５１ｃの各発光点の位置が狙いからずれると、ビームピッチが狙いの間隔と異なり、実際よりも縮んだ画像となったり、伸びた画像となったりする。
特許文献１に記載のように、ＬＤＡ５１ｃを圧入固定するように構成した場合、ビームピッチを調整可能にするためには、ＬＤＡ５１ｃを第１筐体とは別部材の光源ユニットに取り付け、この光源ユニットを第１筐体に対して相対的に回転させるようにする必要がある。このため、部品点数が多くなり、装置のコストが高くなってしまう。
一方、本実施形態においては、光源取付穴７６ｃの発光部挿入部７５２は、ＬＤＡ５１ｃの発光部５１２の径よりも僅かに大きく、光源取付穴７６ｃの台座部挿入部の径は、台座部の径よりも僅かに大きくなっており、ＬＤＡ５１ｃを光源取付穴７６ｃ内で回転させることができるようになっている。また、ＬＤＡ５１ｃは、位置決め面７５４と押圧部材１１０の押圧面１１２とで光軸方向に挟持されることで、固定されているだけである。よって、ネジ１２０を緩めて、ＬＤＡ５１ｃの挟持力を弱めるだけで、ＬＤＡ５１ｃを、光源取付穴７６ｃ内で回転させることができる。よって、ＬＤＡ５１ｃの各発光点の位置が狙いからずれて、ビームピッチが狙いの間隔と異なる場合、ネジ緩めてＬＤＡ５１ｃの挟持力を弱めた状態で、ＬＤＡ５１ｃを光源取付穴７６ｃ内で回転させて、ビームピッチを調整することができる。よって、容易にビームピッチを調整することができる。また、第１筐体７０にＬＤＡ５１ｃを直接取り付けてもビームピッチを調整できるので、部品点数を削減でき、装置を安価にすることができる。
【００３５】
さらに、本実施形態においては、押圧部材１１０が光源の光ビーム出射側の面と反対側の面を押圧するように構成しているので、ＬＤＡ５１ｃの取り付け、取り外しを容易に行うことができる。
以下に具体的に説明する。第１筐体７０に設けられた位置決め面７５４をＬＤＡ５１ｃの台座部５１３の給電部５１１側の面と当接するように構成し、押圧部材１１０をＬＤＡ５１ａの台座部５１３の発光部５１２側の面を押圧するように構成した場合は、ＬＤＡ５１ｃを第１筐体内部側から光源取付穴７６ｃに差し込むこととなる。また、押圧部材１１０を第１筐体内部側からネジ止めすることとなる。この場合、ＬＤＡ５１ｃを光源取付穴７６ｃに挿入するときに、例えば、給電部５１１の先端が、第１筐体内内部のレンズと当接してレンズを傷つけるおそれがある。また、同様に、押圧部材１１０を取り付ける際にも、押圧部材１１０やネジ１２０、ドライバーなどがレンズと当接してレンズを傷つけてしまうおそれがある。また、第１筐体内のレンズなどの部品を傷つけないように、慎重にＬＤＡ５１ｃなどを取り付ける必要があるため、ＬＤＡ５１ｃ取り付け作業性が悪くなる。また、ドライバーをネジ１２０に差し込む際に第１筐体７０の部品が邪魔になって、ＬＤＡ５１ｃの取り付け作業や、ビームピッチ調整作業なども困難となる。
一方、位置決め面７５４をＬＤＡ５１ｃの台座部５１３の発光部５１２側の面と当接するように構成し、押圧部材１１０をＬＤＡ５１ｃの台座部５１３の給電部５１１側の面を押圧するように構成した場合は、ＬＤＡ５１ｃおよび押圧部材１１０を第１筐体７０の外側から取り付けることができる。これにより、第１筐体内のレンズなどの部品が傷つくのを防止することができる。また、ドライバーをネジ１２０に差し込む際に第１筐体７０の部品が邪魔になることがなく、ＬＤＡ５１ｃの取り付け作業や、ビームピッチ調整作業などを容易に行うことができる。
もちろん、何らかの理由で、第１筐体７０の外側からＬＤＡ５１ｃ、押圧部材１１０を取り付けることができない場合は、第１筐体７０に設けられた位置決め面７５４をＬＤＡ５１ｃの台座部５１３の給電部５１１側の面と当接するように構成し、押圧部材１１０をＬＤＡ５１ａの台座部５１３の発光部５１２側の面を押圧するように構成してもよい。
【００３６】
また、ネジ１２０で押圧部材１１０を第１筐体７０に固定しているので、接着剤などで押圧部材１１０を固定するものに比べて、押圧部材１１０の取り付け・取り外しを容易に行うことができ、ＬＤＡ５１ｃを容易に交換することができる。また、ネジ１２０を緩めるだけで、ビームピッチの調整を行うことができる。
【００３７】
そして、ＬＤＡ５１ｃが第１筐体７０に固定されたら、図１２に示すように、ＬＤＡ５１ｃの給電部５１１にＬＤＡ５１ｃを制御するための制御基板１３０を取り付ける。制御基板１３０は、不図示のネジなどによって第１筐体７０に固定される。このように制御基板１３０を取り付けることで、ＬＤＡ５１ｃと制御基板１３０との間の狭い隙間に押圧部材１１０が配置されることとなる。これにより、第１筐体７０を第２筐体６０に取り付けるときなどに、なんらかの部材が押圧部材１１０にぶつかるなどして、ＬＤＡ５１ｃの挟持力が弱まったり、ＬＤＡ５１ｃに対して片寄った押圧力が発生したりして、ＬＤＡ５１ｃが回動してしまうのを抑制することができる。その結果、発光点の位置が狙いの位置からずれてしまい、再度、ビームピッチを調整する必要が生じるなどの不具合を抑制することができる。
また、制御基板１３０の押圧部材１１０を固定するネジ１２０と対向する箇所にドライバーが貫通するための貫通孔を設けてもよい。これにより、押圧部材１１０を固定するネジ１２０にドライバーを容易にアクセスすることができ、ネジ１２０を緩めて、ビームピッチの調整作業を容易に行うことができる。また、押圧部材１１０の取り外しも容易に行うことができ、ＬＤＡ５１ｃの交換も容易に行うことができる。
【００３８】
また、図１３に示すように、位置決め面７５４を同一平面上に３個設け、円周方向３箇所でＬＤＡ５１ｃを位置決めしてもよい。位置決め面を全周にわたり設け、輪状なものとした場合、位置決め面の平面度などによって、ＬＤＡ５１ｃが狙いの姿勢に対して傾いて取り付けられてしまう場合がある。しかし、位置決め面を円周方向等間隔で３箇所設けることにより、ＬＤＡ５１ｃを３点で位置決めすることとなる。よって、３箇所の位置決め面の平面度の精度を上げればよいだけであるので、位置決め面を輪状なもののように全周の平面度を上げるものに比べて、容易に平面度の精度を上げることができる。よって、ＬＤＡ５１ｃを正しく位置決めすることができる。なお、図１３では、位置決め面７５４を３個設けているが、２個でも、同様な効果を得ることができる。
【００３９】
また、位置決め面７５４は、押圧面１１２の個数と同じ数として、図１４に示すように、位置決め面７５４（図中点線）が、ＬＤＡ５１ｃの台座部５１３を挟んで押圧面１１２と対向するように構成するのが好ましい。これにより、押圧面１１２の光軸方向の押圧力を位置決め面１１２で受けることができ、良好にＬＤＡ５１ｃを挟持固定することができる。
【００４０】
また、押圧部材１１０は、樹脂などの絶縁性部材で構成するのが好ましい。これは、ＬＤＡ５１ｃの給電部５１１は、押圧部材１１０を貫通しているため、例えば、ネジ１２０を緩めてＬＤＡ５１ａを発光しながらＬＤＡ５１ａのビームピッチや光量を調整する場合、手などが押圧部材１１０にぶつかるなどして、貫通孔１１４の内周（押圧面１１２の給電部対向面）と給電部５１１とが当接してしまうおそれがある。その結果、押圧部材１１０を導電性のある材料で構成した場合、給電部５１１から電流がリークするおそれがある。また、ＬＤＡ５１ｃとして、台座部５１３がグラウンドレベルではないものを用いた場合は、押圧部材１１０を導電性のある材料で構成すると、押圧面１１２に電流がリークしてしまう。また、制御基板１３０との隙間を狭くした場合に制御基板１３０と押圧部材１１０とが接触する部分が生じ、押圧部材１１０を導電性のある材料で構成すると、押圧部材１１０に電流がリークする場合もある。よって、押圧部材１１０を絶縁性部材で構成することで、押圧部材１１０への電流のリークを無くすことができる。
【００４１】
また、ＬＤＡ５１ｃを保持するための必要な押圧力を得るために、どうしてもアルミや鉄などの導電性部材を用いる必要がある場合は、押圧面１１２や貫通孔１１４の内周（押圧面１１２の給電部対向面）に絶縁性材料を塗布したり、図１５に示すように、押圧面１１２と台座部５１３との間や貫通孔１１４の内周（押圧面１１２の給電部対向面）と給電部５１１との間にゴムなどの絶縁性部材を設けたりして、ＬＤＡ５１ｃと押圧部材との間に絶縁材料を設けてもよい。
ＬＤＡ５１ｃの台座部５１３がグラウンドレベルの場合は、貫通孔１１４の内周（押圧面１１２の給電部対向面）にのみ絶縁材料を塗布したり、貫通孔１１４の内周（押圧面の給電部対向面）と給電部５１１との間に絶縁性部材を設けたりしてもよい。
また、制御基板１３０を取り付けた際に、押圧部材１１０の制御基板１３０と当接しそうな部分に絶縁材料を塗布したり、ゴムなどの絶縁性の部材を貼り付けたりしてもよい。
このように構成することで、押圧部材１１０は、ＬＤＡ５１ａを保持するための必要な押圧力と絶縁性とを確保することができる。
【００４２】
また、押圧部材１１０をネジ止めするとき、図１６に示すように、押圧部材１１０の長手方向中央部が光源取付面７５ｂから最も離間し、取付面１１１の長手方向外側端部（図中点線で囲われたＡ部）が最も光源取付面７５ｂに近い、湾曲形状となる。従って、押圧部材１１０の取付面１１１を光源取付面７５ｂに密着させるべく、さらにネジ１２０で押圧部材１１０を光源取付面側へ押し込んでいくと、取付面１１１の長手方向外側端部が取り付け面に対して、角度をつけて当接する。このように、取付面の長手方向外側端部が光源取付面７５ｂに対して、角度をつけて当接するため、取付面１１１の長手方向外側端部が光源取付面７５ｂに引っ掛かって、押圧部材１１０が狙い形状に変形をせずに、ＬＤＡ５１ｃを均等に押圧することができなくなったり、所望の押圧力が得られなくなったりするおそれがある。特に、トルク管理されたドライバーでネジ１２０を締結する場合は、押圧部材１１０が狙い形状に変形せずに、ＬＤＡ５１ｃを均等に押圧することができなくなったり、所望の押圧力が得られなくなったりするおそれが高くなる。
さらに、取付面１１１の長手方向外側端部によって、光源取付面７５ｂが削れ、その削れカスが光書込ユニット内のミラーやレンズなどに付着して、異常画像となったり、ＬＤＡ５１ｃの給電部５１１に付着して、電気的な不具合が生じてしまったりするおそれもある。
【００４３】
そこで、図１７に示すように、光源取付面７５ｂの取付面１１１の長手方向外側端部と対向する箇所を他の部分よりも窪ませた逃げ部７５６を形成し、取付面１１１の長手方向外側端部と光源取付面７５ｂとを非接触にすることが好ましい。
図１７に示すように、光源取付面７５ｂに逃げ部７５６を設けることで、ネジ１２０で押圧部材１１０を光源取付面７５ｂに押し込んでいったときに、取付面１１１の長手方向外側端部が光源取付面７５ｂに引っ掛かることがない。これにより、取付面１１１の長手方向外側端部が図中Ｂ方向にスムーズに移動し、取付面１１１が光源取付面７５ｂに密着するように押圧部材１１０を変形させることができ、ＬＤＡ５１ｃを均等に押圧することができ、かつ、所望の押圧力を得ることができる。さらに、光源取付面７５ｂが取付面１１１の長手方向外側端部によって削られることもないので、異常画像となったり、ＬＤＡ５１ｃの給電部５１１に付着して、電気的な不具合が生じてしまったりするおそれもない。
【００４４】
また、図１８に示すように、取付面１１１の長手方向外側端部を曲面形状としてもよい。これにより、取付面１１１の長手方向外側端部が光源取付面７５ｂに当接しても、取付面１１１の長手方向外側端部が光源取付面７５ｂに引っ掛かることがない。よって、取付面１１１が光源取付面７５ｂに密着するように押圧部材１１０をスムーズに変形させることができ、ＬＤＡ５１ｃを均等に押圧することができ、かつ、所望の押圧力を得ることができる。さらに、光源取付面７５ｂが取付面１１１の長手方向外側端部によって削られることもないので、削りカスが生じることがなく、削りカスがレンズなどに付着して異常画像となったり、ＬＤＡ５１ｃの給電部５１１に付着して、電気的な不具合が生じてしまったりするおそれもない。
【００４５】
また、取付面１１１の長手方向外側端部や光源取付面７５ｂの取付面１１１の長手方向外側端部との当接箇所に摩擦係数の低い部材などを貼り付けて、取付面１１１の長手方向外側端部の引っ掛かりを抑制してもよい。
【００４６】
また、図１９に示すように、ネジ１２０で押圧部材１１０を締結するので、押圧部材１１０に回転方向の力が生じて、押圧部材１１０が回転方向に僅かに回転してしまう場合がある。押圧部材１１０が回転すると、押圧部材１１０により押圧されているＬＤＡ５１ｃが回転し、ビームピッチがずれてしまう場合があった。
このため、図２０に示すように、第１筐体７０に固定される前の押圧部材１１０を回転方向に位置決めする押圧部材位置決め手段を設けることが好ましい。
図２０に示す押圧部材位置決め手段は、光源取付面７５ｂから突出する円柱状の第１係合凸部７５７ａ、第２係合凸部７５７ｂと、押圧部材１１０に設けられ、第２係合凸部７５７ｂと係合する係合長穴１１６と第１係合凸部７５７ａと係合する係合丸穴１１７とで構成されている。
係合長穴１１６と係合丸穴１１７とは、ネジ貫通孔１１３よりも長手方向外側に設けられている。また、これら係合穴１１６、１１７の短手方向長さは、第１、第２係合凸部７５７ａ、７５７ｂの径とほぼ同じ長さとなっている。よって、係合穴１１６、１１７と係合凸部７５７ａ、７５７ｂとが係合したときに、短手方向において、係合穴１１６、１１７と係合凸部７５７ａ、７５７ｂとが隙間なく係合する。これにより、押圧部材１１０が回転方向に位置決めされ、ネジ１２０で締結時に押圧部材１１０に回転方向の力が働いても、押圧部材１１０が回転することがない。よって、ＬＤＡ５１ｃが、ネジ締結時に回転することがなくなり、ＬＤＡ取り付け後にビームピッチが狙いと異なることが抑制される。
また、丸穴１１７と第１係合凸部７５７ａとは、嵌合するので、回転方向のみならず、光軸に対して垂直方向の位置決めを行うことができる。
【００４７】
また、押圧部材１１０は、ネジ１２０との締結位置を中心として回転するので、締結位置と、ＬＤＡ５１ｃを押圧する押圧位置とが近ければ近いほど、ＬＤＡ５１ｃに働く回転力は、小さくと済む。また、係合穴１１６、１１７と係合凸部７５７ａ、７５７ｂとの係合位置が、ネジ１２０の締結位置から離れれば離れるほど、係合穴１１６、１１７と係合凸部７５７ａ、７５７ｂとに短手方向に隙間があったときの押圧部材１１０の回転量を少なくすることができる。
このようなことから、押圧部材１１０の係合穴１１６，１１７を、ネジ貫通孔１１３よりも長手方向外側に配置した。これにより、締結位置と、ＬＤＡ５１ｃを押圧する押圧位置とを近づけることができ、ＬＤＡ５１ｃに働く回転力を極力小さくすることができる。また、長穴１１６と第１係合凸部７５７ａとの係合位置を、丸穴１１７に隣接するネジ１２０の締結位置から離して設けることができる。よって、丸穴１１７に隣接するネジ１２０の締結位置を中心として押圧部材１１０が回転したとき、押圧部材１１０の回転方向の動きを長穴１１６と第１係合凸部７５７ａとの係合で良好に抑制することができる。また、丸穴１１７と第２係合凸部７５７ｂとの係合位置を、長穴１１６に隣接するネジ１２０の締結位置から離して設けることができ、長穴１１６に隣接するネジ１２０の締結位置を中心として押圧部材１１０が回転したとき、押圧部材１１０の回転方向の動きを丸穴１１７と第１係合凸部７５７ａとの係合で良好に抑制することができる。
【００４８】
また、図２１に示すように、位置決め手段を、第１筐体７０の光源取付面７５ｂに設けられた円柱形状の第１係合凸部７５７ａ、第２係合凸部７５７ｂのみで形成し、第１の係合凸部７５７ａを押圧部材１１０の長手方向に延びる一方の面である上端面と当接させ、第２の係合凸部７５７ｂを押圧部材１１０の長手方向に延びる他方の面である下端面と当接させてもよい。この場合も各係合凸部７５７ａ、７５７ｂと係合する係合位置をネジの締結位置よりも長手方向に外側に設ける。また、第１係合部７５７ａを上端面に当接させるか下端面に当接させるかは、ネジの締結時における押圧部材の回転方向に基づき決定する。また、第１の係合凸部７５７ａに下端部から、第２の係合凸部７５７ｂの上端部までの上下方向の長さは、押圧部材１１０の短手方向長さとほぼ同じ長さとなっている。
【００４９】
この図２１の構成においても、２つの係合凸部７５７ａ、７５７ｂによって、押圧部材１１０が回転するのを規制することができ、ネジ１２０の締結時にＬＤＡ５１ｃに回転力が働くのを抑制することができ、ＬＤＡ５１ｃが回転するのを抑制することができる。また、各係合凸部７５７ａ、７５７ｂと係合する係合位置をネジ１２０の締結位置よりも長手方向に外側に設けることで、ネジ１２０の締結位置を、ＬＤＡ５１ｃを押圧する押圧位置に近づけることができ、ネジ１２０の締結時にＬＤＡ５１ｃに回転力が働くのをより一層抑制することができる。
【００５０】
また、押圧部材１１０の上端面の第１係合凸部７５７ａと当接する箇所および押圧部材１１０の下端面の第２係合凸部７５７ｂと当接する箇所に、それぞれ係合溝を設け、これらの係合溝に係合突起を係合させてもよい。
【００５１】
また、さらに、図２２に示すように、ネジ１２０の頭部と押圧部材１１０との間に別部材１１８を設けてもよい。このように、ネジ１２０の頭部と押圧部材１１０との間に別部材１１８を設けることで、ネジ締結時に別部材１１８がネジ頭部との間で滑りが発生させたり、押圧部材と別部材との間で滑りが発生させたりして、押圧部材１１０にネジの回転力が伝達するのを抑制し、押圧部材１１０に光軸方向の力のみを付与することができる。
別部材１１８としては、ネジ１２０の頭部との摩擦係数が小さいものが望ましく、平座金などを用いることができる。摩擦係数の小さい部材を用いることで、ネジ締結時にネジ頭部との間で良好な滑りが生じて、別部材１１８に対して与える回転力を抑制することが可能となり、ひいては、押圧部材１１０の微小な回転移動を防止することが可能となる。
また、押圧部材１１０との摩擦係数も小さくすることで、押圧部材１１０と別部材１１８との間で滑りが生じて、押圧部材１１０に回転力を極力伝達させないようにすることができる。これにより、押圧部材１１０により固定されるＬＤＡ５１ｃは当初の設定位置を精度良く保つことが可能となり、所望の光学特性を得ることができる。
【００５２】
また、図２３に示すように、ＬＤＡ５１ｃと、ＬＤＡ５１ｃが挿入される光源取付穴７６ｃの真下の光源取付穴７６ｄに挿入されるＬＤＡ５１ｄとをひとつの押圧部材１１０で挟持してもよい。また、同様に、ＬＤＡ５１ａが挿入される光源取付穴７６ａの真下の光源取付穴７６ｂに挿入されるＬＤＡ５１ｂとをひとつの押圧部材で挟持してもよい。
このように、一つの押圧部材１１０で複数のＬＤＡ５１ｃを挟持することで、部品点数を削減することができ、コストダウンを図ることができる。また、組み立て工数も削減することができ、製造コストも安価にすることができる。
【００５３】
また、上述では、ネジ１２０の締結により押圧部材１１０を光源取付面７５ｂに固定しているが、図２４に示すように、バネ部材１２１により、押圧部材１１０を光源取付面７５ｂに固定してもよい。このように構成しても、押圧部材１１０は、バネ部材１２１の押圧力によって、取付面１１１が光源取付面７５ｂに密着するように変形し、押圧面１１２の周囲を弾性変形させることができる。よって、この構成においても、押圧部材１１０の押圧面１１２でＬＤＡ５１ｃを良好に押圧することができ、位置決め面７５４と押圧面１１２でＬＤＡ５１ｃを挟持することができる。
ビームピッチを調整するために、ＬＤＡ５１ｃを回転させたいときは、光源取付面７５ｂとバネ部材１２１との間に詰め物をして、押圧部材１１０にかかる押圧力を低減させることで、ＬＤＡ５１ｃへの挟持力が弱まり、ＬＤＡ５１ｃを容易に回転させることができ、ビームピッチの調整を容易に行うことができる。
【００５４】
また、上述では、カラー画像形成装置に適用した例について説明したが、図２５に示すようなモノクロ画像形成装置にも本発明を適用することができる。
【００５５】
また、上述では、光源としてＬＤＡを用いて、感光体表面に同時に複数本の光を走査するマルチビーム走査方式の光書込ユニットについて説明したが、光源として一つの発光点を有するレーザダイオード（ＬＤ）を用いて感光体表面に同時に１本の光を走査する走査方式の光書込ユニットにも本発明を適用することができる。このＬＤを第１筐体の位置決め面と押圧部材の押圧面とで挟持固定することで、圧入固定するものに比べて、容易にＬＤの交換を行うことができる。
また、ＬＤは、発散角が縦方向と横方向で異なり楕円形状の光を出射するため、アパーチャーを通過した光が狙いの形状とするためには、楕円形状の光における長径部分をアパーチャーのスリット方向に合わせる必要がある。このため、ＬＤを回転方向位置決めした状態で、第１筐体に取り付けるが、何らかの要因によって第１筐体に取り付けたＬＤが回転方向にずれてしまう場合がある。このような場合は、押圧部材を第１筐体に固定するネジを緩めて、ＬＤの挟持力を弱める。これにより、ＬＤを第１筐体に取り付けた状態で、ＬＤを回転させて、ＬＤから出射する楕円形状の光における長径部分をアパーチャーのスリット方向に合うように調整することができる。
【００５６】
以上、光源たるＬＤＡから出射した光ビームによって走査対象物たる感光体を光走査する本実施形態の光走査装置たる光書込ユニットは、ＬＤＡが光軸方向に突き当たることで、ＬＤＡが光軸方向に位置決される位置決め部たる位置決め面と、ＬＤＡを光軸方向に押圧する押圧部材とを有し、ＬＤＡを押圧部材と位置決め面とで挟持固定する。このように構成することで、押圧部材を装置から取り外すだけで、ＬＤＡの挟持力が失われてＬＤＡを容易に装置から取り外すことができる。よって、ＬＤＡを圧入固定するものに比べて、ＬＤＡを容易に交換することができる。
また、ＬＤＡは、位置決め面と押圧部材とで挟持されているだけであるので、押圧部材の押圧力を弱めれば、ＬＤＡへの挟持力が弱まり、ＬＤＡを回転させることができる。よって、ＬＤＡ取付け後に、ＬＤＡを回転させて、ビームピッチの調整やＬＤＡから出射される光の形状を調整することができる。
【００５７】
また、ＬＤＡから出射される光ビームを狙いの形状に成形する光学素子であるシリンドリカルレンズやコリメートレンズと、光ビームを偏向走査する偏向走査手段であるポリゴンスキャナとを収納する光学ハウジングである第１筐体にＬＤＡを位置決めして固定する。このように、第１筐体にＬＤＡを直接位置決めして固定するので、光源ユニットなどの別部材にＬＤＡを位置決め固定してから、光源ユニットを第１筐体に固定するものに比べて、部品点数を削減することができ、装置を安価にすることができる。
【００５８】
また、押圧部材を、ネジにて位置決め面を有する部材である第１筐体に締結する。これにより、押圧部材を容易に第１筐体に取り付けたり取り外したりすることができる。よって、押圧部材を接着剤で固定したものに比べて、ＬＤＡの交換を容易に行うことができる。また、ネジを緩めることで、押圧部材のＬＤＡへの押圧力を弱めることができ、ＬＤＡを回転させることができる。これにより、ＬＤＡを第１筐体に保持した状態で、ＬＤＡを回転させて、ビームピッチの調整やＬＤＡから出射される光の形状を調整することができる。
【００５９】
また、押圧部材を、バネ部材にて第１筐体に押圧することで第１筐体に固定してもよい。これにより、バネ部材の押圧部材への押圧力をなくすだけで、押圧部材を取り外すことができ、押圧部材を接着剤で固定したものに比べて、ＬＤＡの交換を容易に行うことができる。また、バネ部材の押圧部材への押圧力を弱めることで、押圧部材のＬＤＡへの押圧力を弱めることができ、ＬＤＡを回転させることができる。これにより、ＬＤＡを第１筐体に保持した状態で、ＬＤＡを回転させて、ビームピッチの調整やＬＤＡから出射される光の形状を調整することができる。
【００６０】
また、押圧部材は、ＬＤＡと当接してＬＤＡを押圧する押圧面と、第１筐体に取り付けられる取付面とを有し、押圧部材を固定したとき、少なくとも押圧面の周囲が弾性変形するよう構成した。これにより、押圧面に復元力が働いて、押圧面がＬＤＡを光軸方向に押圧することができる。その結果、ＬＤＡを固定するのに十分な挟持力を得ることができる。
【００６１】
また、押圧面と取付面との光軸方向の位置を異ならせることで、押圧面の周囲が弾性変形したときに、押圧面がＬＤＡから浮き上がるのを抑制することができ、ＬＤＡを光軸方向に良好に押圧することができる。また、押圧面と取付面とを接続する箇所も弾性変形するのでＬＤＡの光軸方向への押圧力を高めることができる。
【００６２】
また、押圧部材の取付面を押圧面と平行にすることで、押圧部材を固定するときに、固定する部材（ネジ）から押圧部材にＬＤＡを押圧する方向の力が加わる。その結果、押圧部材を固定するだけで、ＬＤＡに押圧力を付与することができ、ＬＤＡに押圧力を付与するために複雑な構造を有さなくてもよい。よって、安価な構成でＬＤＡに押圧力を付与することができる。
【００６３】
また、押圧面を光軸方向に対して垂直にすることで、ＬＤＡを光軸方向に押圧することができ、ＬＤＡを固定するのに十分な挟持力を得ることができる。
【００６４】
また、押圧面を、同一平面上に２または３個設けることで、ひとつの押圧面でＬＤＡ全体を押圧するものに比べて、ＬＤＡを押圧する表面積を少なくすることができ、平面度の精度を高める面積を少なくすることができる。よって、ＬＤＡを均等に押圧する構成を安価で製造することができる。
【００６５】
また、各押圧面とＬＤＡとの接触面積を同一にすることで、ＬＤＡを均等に押圧することができ、ＬＤＡを良好に挟持固定することができる。
【００６６】
また、押圧部材は、ＬＤＡの光ビーム出射側の面と反対側の面を押圧するよう構成することで、押圧部材やＬＤＡを第１筐体の外側から取り付け、取り外しを行えることができ、ＬＤＡの交換を容易に行うことができる。
【００６７】
また、押圧部材を絶縁部材とすることで、ＬＤＡに流れる電流が押圧部材にリークするのを防止することができる。
【００６８】
また、押圧部材とＬＤＡとの間に絶縁材料を設けることでも、ＬＤＡに流れる電流が押圧部材にリークするのを防止することができる。
【００６９】
また、押圧部材をＬＤＡと、ＬＤＡを制御する制御基板との間に配置することで、第１筐体を第２筐体に取り付けるときなどに、押圧部材に他の部材が突き当たるのを制御基板で防ぐことができる。これにより、第１筐体を第２筐体に取り付けるときなどに、ＬＤＡが回転してしまい、再度、ビームピッチの調整が必要となるなどの不具合を抑制することができる。
【００７０】
また、位置決め面を同一平面上に２または３個有することで、ひとつの位置決め面がＬＤＡ全体と当接して位置決めするものに比べて、ＬＤＡを位置決めするための表面積を少なくすることができ、平面度の精度を高める面積を少なくすることができる。よって、ＬＤＡを光軸方向に位置決めする構成を安価で製造することができる。
【００７１】
また、押圧面が、ＬＤＡを挟んで位置決め面と対向するよう構成したことで、押圧面の光軸方向の押圧力を押圧面で受けることができ、ＬＤＡを固定するのに十分な挟持力を得ることができる。
【００７２】
また、第１筐体の押圧部材端部と対向する箇所を光軸方向に凹ませた逃げ部を設けることで、押圧部材を第１筐体に固定するときに押圧部材端部が第１筐体に当らなくなり、押圧部材をスムーズに変形させることができる。また、押圧部材の端部によって第１筐体が削られることがなくなり、削りカスがレンズに付着するなどにして異常画像を引き起こしたり、ＬＤＡの給電部に付着して電気的な不具合が生じてしまったりするおそれもない。
【００７３】
また、取付面の端部を曲面とすることでも、取付面端部が第１筐体に引っ掛かることがなくなり、押圧部材をスムーズに変形させることができる。また、取付面の端部によって第１筐体が削られることがなくなり、削りカスがレンズに付着するなどにして異常画像を引き起こしたり、ＬＤＡの給電部に付着して電気的な不具合が生じてしまったりするおそれもない。
【００７４】
また、押圧部材で、位置決め面に位置決めされている複数の光源を押圧するよう構成することで、一個の光源に対して一個の押圧部材で押圧するものに比べて、部品点数を削減することができ、装置を安価にすることができる。また、組み立て工数を削減することができる。
【００７５】
また、第１筐体に固定される前の押圧部材を回転方向に位置決めする押圧部材位置決め手段を設けることで、押圧部材をネジで第１筐体に固定するときに、押圧部材にネジの回転力が伝達されても、押圧部材位置決め手段により規制されて押圧部材が回転することがない。このように、押圧部材固定時における押圧部材の回転を抑制することができるので、押圧部材に押圧されているＬＤＡの回転が抑制され、押圧部材の固定によって、ビームピッチが狙いから外れてしまうのを抑制することができる。
【００７６】
また、押圧部材位置決め手段を、押圧部材の長手方向に延びる一方の端面である上端面の長手方向中央部以外に当接する第１の係合凸部と、押圧部材の長手方向に延びる他方の端面である下端面の長手方向中央部以外に当接する第２の係合凸部とで構成している。押圧部材が固定時に回転しようとすると、押圧部材の上端面および下端面が第１および第２の係合凸部に突き当たり、押圧部材の回転を抑制することができる。
【００７７】
また、押圧部材位置決め手段を、第１筐体に設けた係合凸部と、押圧部材に設けられ、係合凸部が係合する係合穴とで構成してもよい。このように構成しても押圧部材が固定時に回転しようとすると、押圧部材の係合穴が係合凸部に突き当たり、押圧部材の回転を抑制することができる。
【００７８】
また、係合凸部の押圧部材との係合位置を、押圧部材のネジによる締結位置よりも長手方向端側にすることで、長手方向中央のＬＤＡ押圧位置とネジにより締結位置とを近接させることができ、ＬＤＡにかかるネジによる回転力を小さくすることができ、ＬＤＡの回転を抑制することができる。
【００７９】
また、ネジと押圧部材との間に別部材を設け、押圧部材締結時にネジと別部材との間および押圧部材と別部材との間の少なくとも一方に回転方向に滑りを発生させることで、ネジの回転力が押圧部材に伝達されるのを抑制することができ、押圧部材の回転を抑制することができる。よって、押圧部材に押圧されているＬＤＡの回転が抑制され、押圧部材の固定によって、ビームピッチが狙いから外れてしまうのを抑制することができる。
【００８０】
また、別部材として、平座金を用いることで、押圧部材締結時にネジと別部材との間および押圧部材と別部材との間に回転方向の滑りを良好に発生させることができ、ネジの回転力が押圧部材に伝達されるのを良好に抑制することができる。
【００８１】
また、光源として、半導体レーザーであるＬＤＡを用いることで、良好に感光体に光を走査することができる。
【００８２】
また、画像形成装置に上述の光書込ユニットを用いることで、画像の伸びや縮みのない良好な画像を得ることができる。
【符号の説明】
【００８３】
３Ｙ，３Ｃ，３Ｍ，３Ｋ  作像ステーション
４  光書込ユニット
１０Ｙ，１０Ｃ，１０Ｍ，１０Ｋ  感光体
１１Ｙ，１１Ｃ，１１Ｍ，１１Ｋ  帯電装置
１２Ｙ，１２Ｃ，１２Ｍ，１２Ｋ  現像装置
５１ａ，５１ｂ，５１ｃ，５１ｄ  ＬＤＡ
２０  中間転写ベルト
６０  第２筐体
７０  第１筐体
１１０  押圧部材
１１１  取付面
１１２  押圧面
１１５  絶縁部材
１２０  ネジ
１２１  バネ部材
１３０  制御基板
５１１  給電部
５１２  発光部
５１３  台座部
７５４  位置決め面
７５６  逃げ部
７５７ａ  第１係合凸部
７５７ｂ  第２係合凸部
【先行技術文献】
【特許文献】
【００８４】
【特許文献１】特許第３６８１５５５号公報
【図１】
0005510857.tif 000002
【図２】
0005510857.tif 000003
【図３】
0005510857.tif 000004
【図４】
0005510857.tif 000005
【図５】
0005510857.tif 000006
【図６】
0005510857.tif 000007
【図７】
0005510857.tif 000008
【図８】
0005510857.tif 000009
【図９】
0005510857.tif 000010
【図１０】
0005510857.tif 000011
【図１１】
0005510857.tif 000012
【図１２】
0005510857.tif 000013
【図１３】
0005510857.tif 000014
【図１４】
0005510857.tif 000015
【図１５】
0005510857.tif 000016
【図１６】
0005510857.tif 000017
【図１７】
0005510857.tif 000018
【図１８】
0005510857.tif 000019
【図１９】
0005510857.tif 000020
【図２０】
0005510857.tif 000021
【図２１】
0005510857.tif 000022
【図２２】
0005510857.tif 000023
【図２３】
0005510857.tif 000024
【図２４】
0005510857.tif 000025
【図２５】
0005510857.tif 000026